(57)【要約】【課題】部品数が少なく非常に簡単な構造により芯体の出没に応じて筆記具頂部の装飾体を確実に動かすことができる筆記具を提供する。【解決手段】筆記具本体の頂部に装飾体を取付けたノック式の筆記具において、前記装飾体が筆記具本体に固定される固定部体と、これと別体の可動部体とからなり、前記筆記具本体内には常態において上部が固定部体内に挿入され、操作部材による芯出し操作時に上方に進出するロッドを含む駆動機構を設け、前記ロッドの上端と可動部体の内壁間を、固定部体の軸線方向と交差する方向に可曲性のある弾性部材で直接連結している。【選択図】図８
0003128512.tif 000002
【実用新案登録請求の範囲】
【請求項１】
筆記具本体の頂部に装飾体を取付け、筆記具本体側部の操作部材の操作により芯体を突出させたときに、前記装飾体の一部が動かされる形式の筆記具において、前記装飾体が筆記具本体に固定される固定部体と、これと別体の可動部体とからなり、前記筆記具本体内には常態において上部が固定部体内に挿入され、操作部材による芯出し操作時に上方に進出するロッドを含む駆動機構を設け、前記ロッドの上端と可動部体の内壁間を、固定部体の軸線方向と交差する方向に可曲した弾性部材で直接連結していることを特徴とする筆記具。
【請求項２】
駆動機構が、上端に弾性部材の下端部を取り付けたロッドと、芯部材の上部と連結すると共に操作部材と連結した摺動部材と、該摺動部材から上方に延在するラック軸と、このラック軸に噛み合うピニオンと、前記ラック軸と対向するようにロッドから下方に延在し前記ピニオンと噛み合う従動ラック軸を備え、該従動ラック軸に、上端に前記ロッドが連設されている請求項１に記載の筆記具。
【請求項３】
固定部体が上部に可動部体内に延在する筒部を有し、該筒部は、内部にロッドが移動する通路を有し、外部に、可動部体の動き方向を規定するために高さの異なる段部が略１８０度対称位置に存する突起を有している請求項１または２に記載の筆記具。
【請求項４】
押圧用弾性部材はコイルばね、板ばねのいずれかである請求項１ないし３に記載の筆記具。
【考案の詳細な説明】
【技術分野】
【０００１】
本考案は筆記具とりわけ頂部に可動装飾体を備えたノック式筆記具の改良に関する。
【背景技術】
【０００２】
常態において芯体が引っ込んでおり、軸部側面のボタンをスライドさせることにより芯体が突出す形式のボールペンやシャープペンシルなどが汎用されているが、文房具然としているので子供などに筆記の楽しさを味わせる手段などとしては不十分であるうらみがあった。
【０００３】
そこで、従来、先行技術1〜3のように筆記具の頂部にキャラクターなどの形態を模した装飾体を取付け、芯体の突出のための操作部材の操作にあわせて装飾体の一部を動かすことができるようにした筆記具が提案されている。
【０００４】
しかしながら、先行技術１と先行技術２は、固定装飾体に可動装飾体としての頭部と連結したクランク板状の支持部材を挿入し、これを横支軸で可転的に支持すると共に、支持部材の一部に偏心部（てこ部材）を設け、この偏心部を、芯体につながって昇降する中継部材に糸材で連結し、あるいは、中継部材の頂部と偏心部に反発磁石を取付けているので、部品数が多く構造が複雑であり、組み立ても手間がかかり、製造コストが高くなる難点があった。また、固定装飾体に支持部材の揺動のための縦溝を形成するので体裁が悪く、埃やごみが侵入して動きを悪くする可能性があった。
【０００５】
先行技術３は、装飾体として起立した人形を用い、脚部に対して人形の胴部から先の部分を可動体とし、この可動体の脚部内を挿通する操作糸により摺動片と連結しておき、操作部材の操作時に摺動片が上昇することにより操作糸を弛緩させて関節を緩ませ、お辞儀動作をするようにしている。
しかし、この先行技術も、部材数が多く、かつ細い操作糸を人形に組み込んで摺動体に繋ぐ必要があるので構造が複雑で、製作に手間がかかり、コストが高くなる問題があった。
【特許文献１】実用新案登録第２５０８１５３号
【特許文献２】実開平７-１８８８８号公報
【特許文献３】実用新案登録第３０２５１８４号
【考案の開示】
【考案が解決しようとする課題】
【０００６】
本考案は前記のような問題点を解消するためになされたもので、その目的とするところは、部品数が少なく非常に簡単な構造により芯体の出没に応じて筆記具頂部の装飾体を確実に動かすことができる筆記具を提供することにある。
【課題を解決するための手段】
【０００７】
上記目的を達成するため本考案は、筆記具本体の頂部に装飾体を取付け、筆記具本体側部の操作部材の操作により芯体を突出させたときに、前記装飾体の一部が動かされる形式の筆記具において、前記装飾体が筆記具本体に固定される固定部体と、これと別体の可動部体とからなり、前記筆記具本体内には常態において上部が固定部体内に挿入され、操作部材による芯出し操作時に上方に進出するロッドを含む駆動機構を設け、前記ロッドの上端と可動部体の内壁間を、固定部体軸線方向と交差する方向に可曲した弾性部材で直接連結していることを特徴としている。
【考案の効果】
【０００８】
操作部材が操作されないときには、可動部体は固定部体に対して予め決められた姿勢におかれるが、操作部材の操作に伴ってロッドが上昇すると、可動部体の内壁間との距離が短くなるので弾性部材が曲がりながら圧縮され、それによる押圧力で可動部体が背後から押し動かされ，お辞儀をしたり首をかしげたりするような姿勢に変容する。したがって面白味のある筆記具とすることができる。
しかも、可動部体を動かす機構が、昇降するロッドと可動部体を固定部体の軸線方向と交差する方向に曲った弾性部材で直結し、弾性部材それ自体のたわみ作用により押圧方向を変換できるので、部品数が最小限で足り、構造がきわめて簡単であり、組立ても容易で安価に製作することができ、また、構造が簡単であるため故障も少なく、確実な動作を行える
【考案を実施するための最良の形態】
【０００９】
駆動機構が、上端に弾性部材の下端部を取り付けたロッドと、芯部材の上部と連結すると共に操作部材と連結した摺動部材と、該摺動部材から上方に延在するラック軸と、このラック軸に噛み合うピニオンと、前記ラック軸と対向するようにロッドから下方に延在し前記ピニオンと噛み合う従動ラック軸を備え、該従動ラック軸に、上端に前記ロッドが連設されている。
これによれば、ピニオンとラックの噛み合いによるロック作用により、操作部材を操作しないときに可動部体を安定的な常態姿勢に保持させることができ、操作部材を操作したときには、ピニオンとラックの噛み合いにより確実に弾性部材を圧縮して可動部体を押し移動させることができる。
【００１０】
固定部体が上部に可動部体内に延在する筒部を有し、該筒部は、内部にロッドが移動する通路を有し、外部に、可動部体の動き方向を規定するために高さの異なる段部が略１８０度対称位置に存する突起を有している。
これによれば、突起により可動部体の抜け止めが図られるだけでなく、段部により動く方向が決められ、低位側の段部がヒンジ作用を、高位側の段部が可動部体の最大動き角度を規制する作用を発揮するので、無理なく確実に所定の角度でお辞儀をしたり首をかしげたりする姿勢に動かすことができる。
弾性部材はコイルばね、板ばねのいずれかである。
これによれば、安価な部品で軸方向と直角方向に可曲性を持たせることができる。
【実施例１】
【００１１】
以下本考案の実施例を添付図面を参照して説明する。
図１ないし図６は本考案による筆記具の一実施例を示しており、図１において、Aは筆記具本体、Ｂは筆記具本体Ａの頂部の装飾体である。
前記筆記具本体Ａは、筒状の軸体１とこれの上端部を覆いかつ装飾体の取付けベースを兼ねたキャップ２を有している。
【００１２】
前記装飾体Ｂは、下面がキャップ２に接着等により固定された中空状の固定部体Ｂ１と、中空状をなし下部の開口をもって前記固定部体Ｂ１に略連続するように位置された可動部体Ｂ２からなっている。この例では、装飾体Ｂは全体としてキャラクター形状をなし、固定部体Ｂ１は脚部とその上の胴部を模っており、可動部体Ｂ２は頭部を模っていて、うなずきあるはお辞儀に似た前傾動作を行なうようになっている。
【００１３】
前記固定部体Ｂ１は図５と図６のように、上部に可動部体Ｂ２内に延在される筒部１５を有しており、該筒部１５の外側には、寸法の拡大した鍔状の突起１６が設けられている。突起１６は１８０度対称位置に高さの異なる段部１６０，１６１を有している。
低位側の段部１６０は、可動部体Ｂ２の傾き前側に相当する位置にあり、高位側の段部１６１は可動部体Ｂ２の傾き後側に相当する位置にある。
可動部体Ｂ２は２つ割り構造となっており、各分割体Ｂ２１、Ｂ２２の下面に前記突起１６より下の筒部１５に交合する切欠部１７、１７が設けられている。
【００１４】
図２と図３は筆記具の断面を示しており、３は軸体１内に挿入されたボールペンの芯体、４は前記芯体３の上部を嵌合連結した筒状の摺動部材であり、これを含めて芯体の出没と装飾体Ｂを作動するための機構Ｃが構成されている。
該作動機構Ｃは、筒状の摺動部材４に基部が固定されて上部に延出する操作用軸５を備えており、操作用軸５には軸体１の一側に形成した縦長孔７を通して内挿されたボタン状の操作部材８が結合され、該操作部材８をつまんで下降させることにより、摺動部材４と芯体３が軸体内で下降し、芯体３の先端部が軸体先端開口から突出するようになっている。
【００１５】
前記作動機構Ｃは、さらに前記芯体３の突出動に同期して反対方向（上方）に移動して前記可動部体Ｂ２を押動させるために、前記操作用軸５と離間した位置の摺動部材４に基部が固定され、上方に延在するラック軸６と、前記軸体１内の上方域において横軸９０により回転可能に支架されたピニオン９と、該ピニオン９を挟んで前記ラック軸６と対向する位置に垂下する従動ラック軸１０を備えており、ラック軸６と従動ラック軸１０はそれぞれ１８０度対称位置でピニオン９と噛み合う歯部６０，１００を有している。
【００１６】
前記従動ラック軸１０の上端は、図４のように、軸体１の上方域に位置する座部１１につながっており、座部１１には、前記キャップ２の天端に設けられた穴２０を貫通し、可動部体Ｂ２が常態の姿勢（この例では正面を向いて直立している状態）にあっても固定部体Ｂ１内に到る長さを持ったロッド１２が突設されている。
そして、前記ロッド１２の天端には縮径したピン状の取付け部１２０が形成され、これに軸線方向と直角方向に可曲性のある押圧用の弾性部材１３の下端部１３０が連結されている。前記押圧用の弾性部材１３は、固定部体Ｂ１の前記筒部１５を貫き可動部体B２内に延在されている。
【００１７】
一方、前記可動部体Ｂ２の内壁で、特に可動部体Ｂ２を動かしたい方位にある部位（この例では、頭部の前側に相当する前部）には、ピン状の取付け部１８が設けられ、弾性部材１３はその可曲性により曲げられ、前記両取付け部１２０、１８間に両端が抜けないように支持されている。
弾性部材１３は、この例ではロッド１２とほぼ同程度の比較的小径のコイルばね（ジャバラ管を含む）が用いられているが、これに代えて、板ばねであってもよい。
【００１８】
その他、前記操作部材８による芯体の突き出しを解除したときに芯体３を引っ込ませる手段として、公知のものと同じように芯体３の下部にスプリング１９が介装されている。
【００１９】
本考案の使用法と作用を説明すると、常態においては図２と図３および図７のように操作部材８は縦長穴７の上端位置にあり、摺動部材４は上限位置にあるので、芯体３は引っ込んでいる。このときには、ラック軸６は上昇位置にあり、この状態でピニオン９と噛み合っているので、ピニオン９と反対位置にある従動ラック軸１０は下降位置で保持されている。
従動ラック軸１０が下限にあるので、弾性部材１３は圧縮がほとんどなされず、ロッド１２は先端が固定部体Ｂ１の中間レベル程度に保持される。したがって、可動部体Ｂ２は図１〜図３のように固定部体Ｂ１とほぼ同軸状の直立した姿勢にある。
【００２０】
筆記具を使用すべく操作部材８をつまんで下方にスライドさせると、軸体内で摺動部材４が下降するので、摺動部材４に保持されている芯体３が下降して先端が軸体１の先端から突出する。
前記摺動部材４の下降時にはラック軸６が下降し、それによりラック軸６のラック６０と噛み合っているピニオン９がたとえば時計方向に回動される。それによりラック軸６と１８０度対称位置にある従動ラック軸１０のラック部１００にはピニオン９を介して押し上げ力が伝達されるので、図８のように、従動ラック軸１０と一体のロッド１２が固定部体Ｂ１の上部の筒部１５内の上端近くまで上昇する。
【００２１】
それによりロッド１２の先端と可動部体内面（取付け部１８の付根）との距離が短縮されているので、ロッド１２の先端と可動部体B２内面間を曲がりながら直結している弾性部材１３は圧縮され、圧縮された弾性部材１３の反発力は可動部体Ｂ２を動かす動力となる。
弾性部材１３は直線でなく、曲げられて可動部体B２の前側の取付け部１８に連結されており、しかも、固定部体Ｂ１の上部の筒部１５は鍔状の突起１６を有し、その突起１６には可動部体B２の前側に対しては低く、可動部体B２の後前側に対しては相対的に高い段部１６０，１６１が設けられているので、弾性部材１３の押圧力が作用したときに可動部体Ｂ２は低位側の段部１６０をヒンジとして傾動され、弾性部材１３は可曲性によって追従する。したがって、可動部体Ｂ２は直立した状態から、図１（ｂ）や図８のようにあたかもうなずいたり、お辞儀をしているように動かされる。したがって、面白みのある形態変化が得られる。
【００２２】
その後、操作部材８を動かせば摺動部材４が上昇し、芯体３が引っ込むと共にラック軸６が上昇し、ピニオン９の回転により従動ラック軸１０が下降するので、ロッド１２が下降し、弾性部材１３の圧縮が解除されるので、可動部体B２は前傾状態から元の直立状態に戻される。
【００２３】
本考案は一対のラックとピニオンとの噛み合いによる上昇機能とロック作用と弾性部材１３の可曲性を利用して可動部体Ｂ２を常態の姿勢から可動姿勢へと動かし、その状態を保持させるので、構造が簡単で、部品数を最小限にすることができる。
また、可動部体Ｂ２を前後半部で２つ割りにしておき、ロッド１２を固定部体Ｂ１内に突出させた状態で弾性部材１３を撓ませ、先端を可動部体Ｂ２の内面の取付け部１８に取付けるだけでよいので、組立ても非常に簡単に行える。
【００２４】
なお、本考案は可動部体Ｂ２の動作がお辞儀をする形態の場合に限定されるものではなく、可動部体Ｂ２に対する弾性部材１３の先端連結位置（取付け部位置）をどこにするかだけで種々の動作形態を創成することができる。たとえば、可動部体Ｂ２の後部内面に取り付け、固定部体Ｂ２の突起１６の２つの段部関係を図示するものと反対にすれば、そっくり返るような動作が発現され、同様に可動部体Ｂ２の側部に適用すれば首をかしげるような動作が発現される。
【図面の簡単な説明】
【００２５】
【図１】（ａ）は本考案による筆記具を芯を出さない通常の状態で示す斜視図、（ｂ）は芯を出した状態の斜視図である。
【図２】図１（ａ）の状態での縦断正面図である。
【図３】図１（ａ）の状態での縦断側面図である。
【図４】本考案における作動機構の斜視図である。
【図５】本考案における弾性部材と可動部体の取り合いを分解状態で示す段面図である。
【図６】本考案における弾性部材と可動部体の取り合いを分解状態で示す斜視図である。
【図７】芯を出さない通常時の状態の部分的縦断面である。
【図８】芯を出出したときの各部の動きを示す部分的縦断面である。
【符号の説明】
【００２６】
A  筆記具本体
B  装飾体
Ｂ１  固定部体
Ｂ２  可動部体
Ｃ  作動機構
１  軸体
３  芯体
４  筒状の摺動部材
６  ラック軸
８  操作部材
９  ピニオン
１０  従動ラック軸
１２  ロッド
１３  弾性部材
１５  筒部
１６  突起
１６０，１６１  段部
【図１】
0003128512.tif 000003
【図２】
0003128512.tif 000004
【図３】
0003128512.tif 000005
【図４】
0003128512.tif 000006
【図５】
0003128512.tif 000007
【図６】
0003128512.tif 000008
【図７】
0003128512.tif 000009
【図８】
0003128512.tif 000010
【手続補正書】
【提出日】平成18年11月2日(2006.11.2)
【手続補正１】
【補正対象書類名】実用新案登録請求の範囲
【補正対象項目名】全文
【補正方法】変更
【補正の内容】
【実用新案登録請求の範囲】
【請求項１】
筆記具本体の頂部に装飾体を取付け、筆記具本体側部の操作部材の操作により芯体を突出させたときに、前記装飾体の一部が動かされる形式の筆記具において、前記装飾体が筆記具本体に固定される固定部体と、これと別体の可動部体とからなり、前記筆記具本体内には常態において上部が固定部体内に挿入され、操作部材による芯出し操作時に上方に進出するロッドを含む駆動機構を設け、前記ロッドの上端と可動部体の内壁間を、固定部体の軸線方向と交差する方向に可曲した弾性部材で直接連結していることを特徴とする筆記具。
【請求項２】
駆動機構が、上端に弾性部材の下端部を取り付けたロッドと、芯部材の上部と連結すると共に操作部材と連結した摺動部材と、該摺動部材から上方に延在するラック軸と、このラック軸に噛み合うピニオンと、前記ラック軸と対向するようにロッドから下方に延在し前記ピニオンと噛み合う従動ラック軸を備え、該従動ラック軸に、上端に前記ロッドが連設されている請求項１に記載の筆記具。
【請求項３】
固定部体が上部に可動部体内に延在する筒部を有し、該筒部は、内部にロッドが移動する通路を有し、外部に、可動部体の動き方向を規定するために高さの異なる段部が略１８０度対称位置に存する突起を有している請求項１または２に記載の筆記具。
【請求項４】
押圧用弾性部材はコイルばね、板ばねのいずれかである請求項１〜３のいずれか１項に記載の筆記具。